(57)【特許請求の範囲】
【請求項１】
地面に対して水平方向で無指向性となる放射パターンを有する第１のアンテナと、
地面に対して垂直方向上方で最大となる放射パターンを有する第２のアンテナと、
地面に対して垂直方向下方で最大となる放射パターンを有する第３のアンテナと、
前記第１、第２及び第３のアンテナの各々から得られる受信強度情報により最適なアンテナを選択する選択手段と、
を具備することを特徴とする移動通信端末。
【請求項２】
請求項１記載の移動通信端末において、
前記第１、第２及び第３のアンテナの各々が複数設けられていることを特徴とする移動通信端末。
【発明の詳細な説明】
【０００１】
【発明の属する技術分野】
本発明は家庭内通信等に使用して好適な移動通信端末に関する。
【０００２】
【従来の技術】
従来、移動通信端末に図７及び図８に示す如きダイバーシティアンテナシステムが使用されている。この図７において、１は移動通信端末を示し、この移動通信端末１の筺体上に所定間隔離して２つの１／４波長（λ）のモノポールアンテナ２及び３を設け、このモノポールアンテナ２及び３の受信出力を図８に示す如く夫々受信機４及び５に供給して受信信号を得、この受信機４及び５よりの受信信号を夫々切替スイッチ６の一方及び他方の固定接点６ａ及び６ｂに供給する如くする。
【０００３】
また、この受信機４及び５の夫々の受信レベルを受信レベル比較器７に供給し、この受信レベル比較器７で受信レベルが大きい方を判断し、この判断に応じて、アンテナ切替器８により切替スイッチ６の可動接点６ｃを制御して、この可動接点６ｃを受信レベルの大きい受信信号が得られる固定接点６ａ及び６ｂに接続し、出力端子９に受信レベルの大きい方の受信信号を得、これを利用する如くしている。
【０００４】
この図７、図８の従来例は空間ダイバーシティ効果を得ようとするもので「アンテナの設置場所がある程度（１／４波長（λ）以上）離れているとフェージングを受ける様子は独立に変化する。」という事実を利用したものである。
【０００５】
この図７、図８に示す如きダイバーシティアンテナシステムを使用することにより、たまたま全てのアンテナ２，３がフェージングの谷に落ちていない限り良好な受信ができ、通信状態が悪い時間が大幅に短くなる。
【０００６】
【発明が解決しようとする課題】
ところで近年、家庭内で電波を利用して、種々の機器同士間で通信する家庭内通信所謂ホームネットワークが行われるようになっている。
斯る家庭内通信は同一フロアばかりでなく、１階と２階と等の上下階の通信が要求される。
【０００７】
斯る家庭内通信の移動通信端末に上述図７、図８に示す如きダイバーシティアンテナシステムを適用したときには、上述図７、図８のモノポールアンテナ２，３は夫々地面に対し水平方向に無指向性となる放射パターンを有するアンテナで空間ダイバーシティ効果を得るものであり、同一フロアのマルチパスには効果があるが、１階と２階と等の上下階間の通信には適さず良好な通信ができない不都合があった。
【０００８】
本発明は斯る点に鑑み、家庭用の上下階間の通信をも良好にできるようにした移動通信端末を提案せんとするものである。
【０００９】
【課題を達成するための手段】
本発明移動通信端末は、地面に対して水平方向で無指向性となる放射パターンを有する第１のアンテナと、地面に対して垂直方向上方で最大となる放射パターンを有する第２のアンテナと、地面に対して垂直方向下方で最大となる放射パターンを有する第３のアンテナと、この第１、第２及び第３のアンテナの各々から得られる受信強度情報により最適なアンテナを選択する選択手段とを具備するものである。
【００１２】
斯る本発明によれば、地面に対して垂直方向上方及び下方で夫々最大となる放射パターンを有するアンテナを設けているので、上下階間の通信をも良好に行うことができる。
【００１３】
【発明の実施の形態】
以下、図１〜図６を参照して本発明移動通信端末の実施の形態の例につき説明しよう。
【００１４】
図１において、１０は例えば家庭内通信に使用される移動通信端末を示し、この移動通信端末１０の筺体上に所定間隔離して、２つの１／４波長（λ）のモノポールアンテナ１１及び１２を設ける。
【００１５】
この家庭内通信の搬送波としては例えば２．４ＧＨｚ又は５．８ＧＨｚが使用される。
【００１６】
このモノポールアンテナ１１及び１２は夫々図４Ｂに示す如く地面に対して水平方向で無指向性となる放射パターンを有するアンテナであり、この２つのモノポールアンテナ１１及び１２により空間ダイバーシティ効果が得られる。この図４Ｂの指向性においては、アンテナ１１及び１２は夫々図４Ａの原点にあるものとする。後述する図５Ａ，Ｂの指向性についても同様である。
【００１７】
本例においては、この移動通信端末１０の筺体の上面に所定間隔離して、２つのパッチアンテナ１３及び１４を設けると共にこの移動通信端末１０の筺体の下面に所定間隔離して、２つのパッチアンテナ１５及び１６を設ける。
【００１８】
このパッチアンテナ１３，１４，１５及び１６は図２Ａ及びＢに示す如く、絶縁基板３０の上面に放射周波数に応じた径のアンテナ導体３１を設けると共にこの絶縁基板３０の下面に接地導体３２を被着したものである。
【００１９】
このパッチアンテナ１３，１４，１５及び１６は夫々図２Ａに、示す如くアンテナ導体３１側に最大放射パターン３３を有するものである。
【００２０】
従って、図１例においては、パッチアンテナ１３及び１４は夫々図５Ａに示す如く、地面に対して垂直方向上方で最大となる放射パターンを有するアンテナとなる。この２つのパッチアンテナ１３及び１４は夫々同一方向の指向性を持ち、空間ダイバーシティ効果が得られる。
【００２１】
また、この図１例においては、パッチアンテナ１５及び１６は夫々図５Ｂに示す如く、地面に対して垂直方向下方で最大となる放射パターンを有するアンテナとなる。この２つのパッチアンテナ１５及び１６は夫々同一方向の指向性を持ち、空間ダイバーシティ効果が得られる。
【００２２】
このモノポールアンテナ１１，１２、パッチアンテナ１３，１４，１５及び１６の受信出力を図３に示す如く、夫々受信機１７，１８，１９，２０，２１及び２２に供給して受信信号を得、この受信機１７，１８，１９，２０，２１及び２２よりの受信信号を夫々切替スイッチ２３の固定接点２３ａ，２３ｂ，２３ｃ，２３ｄ，２３ｅ及び２３ｆに夫々供給する如くする。
【００２３】
また、この受信機１７，１８，１９，２０，２１及び２２の夫々の受信レベルを受信レベル比較器２４に供給し、この受信レベル比較器２４で受信レベルが一番大きいのを判断し、この判断に応じて、アンテナ切替器２５により切替スイッチ２３の可動接点２３ｇを制御して、この可動接点２３ｇを受信レベルが一番大きい受信信号が得られる固定接点２３ａ，２３ｂ，２３ｃ，２３ｄ，２３ｅ又は２３ｆに接続し、出力端子２６に受信レベルの一番大きい安定した受信信号を得、これを利用する如くする。
【００２４】
斯る、図１及び図３に示す如き、本例においては、通信相手からの電波は、各アンテナ１１，１２，１３，１４，１５及び１６に入力され夫々の受信機１７，１８，１９，２０，２１及び２２で受信され受信信号が得られる。このとき電界強度即ち受信レベルが受信レベル比較器２４によって比較され、この受信レベルが一番大きいのを判断し、この判断に応じて、アンテナ切替器２５によって、一番電界強度の強い一番受信レベルの大きいアンテナで受信した受信信号を選択して出力端子に供給し、これを利用する如くする。
【００２５】
この場合、一般家庭における家庭内通信においては、図６Ａ，Ｂに示す如く同一階間、上下階間の通信即ち３次元空間における通信が予想され、上述本例を使用したときには、３次元空間における通信を考慮した放射パターンを有する複数のアンテナ即ち地面に対して水平方向で無指向性となる放射パターンを有するモノポールアンテナ１１及び１２と、地面に対して垂直方向上方で最大となる放射パターンを有するパッチアンテナ１３及び１４と、地面に対して垂直方向下方で最大となる放射パターンを有するパッチアンテナ１５及び１６との異なる３種類の放射パターンを有するアンテナの中から受信レベルの一番大きなアンテナの受信信号が選択され、指向性ダイバーシティ効果が得られ良好な通信を行うことができる。
【００２６】
また上述例では同一方向の放射パターンを有するアンテナの対、即ちモノポールアンテナ１１と１２、パッチアンテナ１３と１４、パッチアンテナ１５と１６とを設けたので夫々の対で空間ダイバーシティ効果も得ることができる。
【００２７】
尚、上述例ではアンテナ１１，１２，１３，１４，１５及び１６の全てに対し、夫々受信機１７，１８，１９，２０，２１及び２２を設けた例につき述べたが、アンテナ切替スイッチで選択した後に受信信号を受信機に供給するようにし、この受信機を共用するようにしても良いことは勿論である。
【００２８】
また上述例では、異なる３種の放射パターンのアンテナを２つづつ設けた例につき述べたが、これは１つであって良いし、また３つ以上であっても良い。
【００２９】
また、本発明は上述例に限ることなく本発明の要旨を逸脱することなく、その他種々の構成が採り得ることは勿論である。
【００３０】
【発明の効果】
本発明によれば３次元空間における通信を考慮した放射パターンを有する複数個のアンテナを具備し、受信レベルを判断して、最適なアンテナを選択するようにしているので、指向性ダイバーシティ効果が得られ、例えば家庭内において、上下階間での通信等の３次元空間において良好な通信が実現できる。
【図面の簡単な説明】
【図１】本発明ダイバーシティアンテナシステムの実施の形態の例を示す構成図である。
【図２】パッチアンテナの例を示し、Ａは断面図、Ｂは斜視図である。
【図３】図１例のブロック図である。
【図４】本発明の説明に供する線図である。
【図５】本発明の説明に供する線図である。
【図６】本発明の説明に供する線図である。
【図７】従来のダイバーシティアンテナシステムの例を示す構成図である。
【図８】図７のブロック図である。
【符号の説明】
１０‥‥移動通信端末、１１，１２‥‥モノポールアンテナ、１３，１４，１５，１６‥‥パッチアンテナ、１７，１８，１９，２０，２１，２２‥‥受信機、２３‥‥切替スイッチ、２４‥‥受信レベル比較器、２５‥‥アンテナ切替器、２６‥‥出力端子
【図１】
0004240662.tif 000002
【図２】
0004240662.tif 000003
【図３】
0004240662.tif 000004
【図４】
0004240662.tif 000005
【図５】
0004240662.tif 000006
【図６】
0004240662.tif 000007
【図７】
0004240662.tif 000008
【図８】
0004240662.tif 000009